(57)【要約】【課題】  通話の保留時に電話回線を介して遠隔の通信装置に送出する保留音と、自らの通信装置で聴きたい保留音とを異ならせることのできる通信装置を提供する。【解決手段】  通信回線を介して遠隔の通信装置との間でデータ通信及び通話が可能な通信装置であって、遠隔の通信装置との通話中に利用者が保留キーを押下することで通話が保留状態に移行されたとき、通信用モデムは第１の保留音信号を発生して通信回線に送出するとともに、ビープ音発生回路は第２の保留音信号を発生して通信装置内の増幅器へと送出する。そして、第２の保留音信号は増幅器により増幅され、通信装置内のスピーカから第２の保留音として出力される。【選択図】  図２
2006013870.tif 000002
【特許請求の範囲】
【請求項１】
通信回線を介して遠隔の通信装置との間でデータ通信及び通話が可能であり、遠隔の通信装置との通話中に、通信回線を開放することなくその通話を保留状態に移行させる保留移行手段とを備えた通信装置であって、
前記保留移行手段によって当該装置が保留状態に移行されたときに第１の保留音信号を発生して前記通信回線に送出可能であるとともに、遠隔の通信装置との間でデータ通信を実行可能な通信用モデムと、
前記保留移行手段によって当該装置が保留状態に移行されたときに第２の保留音信号を発生可能な音信号発生手段と、
当該音信号発生手段が発生した第２の保留音信号に基づいて保留音を出力可能な音声出力手段と
を備えたことを特徴とする通信装置。
【請求項２】
前記音信号発生手段は、前記音声出力手段と常時接続されていることを特徴とする請求項１に記載の通信装置。
【請求項３】
前記音信号発生手段は、それぞれ単音を発生する回路を複数備えてなることを特徴とする請求項１又は請求項２に記載の通信装置。
【請求項４】
遠隔の通信装置からの着呼時に、前記音信号発生手段は前記音声出力手段から出力される着呼音用の信号を発生することを特徴とする請求項１〜請求項３の何れかに記載の通信装置。
【請求項５】
遠隔の通信装置からの着呼時に自動的に通信回線を閉結してデータ通信又は通話の何れか一方を可能とする自動着信モードを備え、
通信回線の閉結後、前記通信用モデムは疑似リングバック音用の信号を通信回線に送出するとともに、前記音信号発声手段は疑似リング音用の信号を前記音声出力手段に送出することを特徴とする請求項１〜請求項４の何れかに記載の通信装置。
【請求項６】
第１の保留音データ、第２の保留音データ、着呼音データ、疑似リングバック音データ、そして疑似リング音データのうち少なくとも一つの音データを記憶可能であり、その記憶している音データに対して複数の候補を記憶する記憶手段と、
当該記憶手段に記憶されている複数の候補から一つの候補を選択して設定する選択設定手段と、を備え、
前記通信用モデム及び前記音信号発生手段は、前記選択設定手段により選択設定された音データに基づいて音信号を出力することを特徴とする請求項１〜請求項５の何れかに記載の通信装置。
【発明の詳細な説明】
【技術分野】
【０００１】
本発明は、通話機能及びファクシミリ通信等のデータ通信機能を備えた通信装置に関する。
【背景技術】
【０００２】
従来から、装置本体部内にメロディ発生回路と通信用モデムとを備え、遠隔の通信装置との間で電話回線を介して通話及びファクシミリ通信が可能な通信装置が多々案出されている。例えば、特許文献１にはそのようなファクシミリ装置が具体的に記載されている。まずこの特許文献１の「従来の技術」に記載されているファクシミリ装置は、図９に示すように、ファクシミリ通信を行うための通信用モデム２０１と、専用のメロディ発生回路２０２と、通信用モデム２０１が生成したファクシミリ信号及びメロディ発生回路２０２が生成したメロディ信号を選択的に取り込む加算器２０３と、電話回線２０４の接続をライントランス２０９側又は電話機２０５側に選択的に切り替える第１のリレー２０６と、加算器２０３の出力を、このファクシミリ装置本体が有するスピーカ２１２の増幅回路２１１に選択的に出力可能にする第２のリレー２１０と、このファクシミリ装置の各回路を制御する制御部２０７と、操作パネル２０８とを備えている。そして、更に、このファクシミリ装置は、外付け電話機２０５を接続可能に構成されている。このファクシミリ装置によれば、利用者が外付け電話機２０５の受話器を用いて通話をしている最中に操作パネル２０８上の保留ボタンを押下して通話を保留にすると、制御部２０７が作動してメロディ発生回路２０２にメロディ信号を発生させる。そして制御部２０７が第１のリレー２０６を外付け電話機２０５側からライントランス２０９側へと切り替えることで電話回線２０４がライントランス２０９側に接続されると共に、第２のリレー２１０が閉状態とされる。従って、メロディ発生回路２０２が生成したメロディ信号は加算器２０３、ライントランス２０９、第１のリレー２０６を経由して電話回線２０４へと送出されるため、遠隔の通信装置のスピーカからはメロディ信号に基づく保留音（保留メロディ）が出力される。また、メロディ発生回路２０２が生成したメロディ信号は加算器２０３、第２のリレー２１０を経由して増幅回路２１１へと送出され、更にスピーカ２１２からメロディ信号に基づく保留音（保留メロディ）が出力されるのである。
【０００３】
しかし、この従来の技術に記載されているファクシミリ装置では、専用のメロディ発生回路１０２を用いているため、このメロディ発生回路１０２を収納するスペースを装置本体内に確保しなければならない上、コストも増加するという問題点があった。
【０００４】
そこで、この従来のファクシミリ装置の問題点を解決するために、この特許文献１に記載された、発明としてのファクシミリ装置では、図１０に示すように、通信用モデム２３１によりメロディ信号を発生させることによりメロディ発生回路を無くすことが記載されている。このファクシミリ装置は、ファクシミリ通信を行うとともにメロディ信号を発生するための通信用モデム２３１と、電話回線２４２の接続をライントランス２３３側又は電話機２４３側に選択的に切り替える第３のリレー２３４と、通信用モデム２３１の出力を装置本体２３０が有するスピーカ２３５の増幅回路２３６に選択的に出力可能にする第４のリレー２３７と、このファクシミリ装置の各回路を制御する制御部２３２と、操作パネル２４１とを備えている。このファクシミリ装置によれば、利用者が外付け電話機２４３の受話器を用いて通話をしている最中に操作パネル２４１上の保留ボタンを押下して通話を保留にすると、制御回路２３２が第３のリレー２３４を切り替えることで電話回線２４２は電話機２４３側からライントランス２３３側へと切替接続される。そして通信用モデム２３１で発生されたメロディ信号（単一周波数信号ｆＮ）は、第３のリレー２３４及び電話回線２４２を介して遠隔の通信装置へと送出されるため、遠隔の通信装置のスピーカからはメロディ信号に基づく保留音（保留メロディ）が出力される。このとき、第４のリレー２３７が制御回路２３２によりＯＮ状態にされていれば、メロディ信号は、第４のリレー２３７を介して増幅回路２３６へと送出され、このメロディ信号に基づく保留音（保留メロディ）は装置本体２３０のスピーカ２３５からも出力されるのである。
【０００５】
【特許文献１】特公平６−３８６２２号公報
【発明の開示】
【発明が解決しようとする課題】
【０００６】
しかしながら、特許文献１に記載されているファクシミリ装置では、何れのファクシミリ装置であっても、同一のメロディ信号が、電話回線を介して遠隔の通信装置へも自らのスピーカの増幅回路へも送出されるので、利用者が遠隔の通信装置に送出したい保留音（保留メロディ）と自らの聴きたい保留音（保留メロディ）とをそれぞれ異なる保留音にすることができないという問題点があった。
【０００７】
本発明は上記のような事情に基づいて完成されたものであって、通話の保留時に電話回線を介して遠隔の通信装置に送出する保留音と、自らの通信装置で聴きたい保留音とを異ならせることができ、更にはリレーを少なくすることで制御の容易な通信装置を提供することを目的とする。
【課題を解決するための手段】
【０００８】
上記の目的を達成するための手段として、請求項１の発明は、通信回線を介して遠隔の通信装置との間でデータ通信及び通話が可能であり、遠隔の通信装置との通話中に、通信回線を開放することなくその通話を保留状態に移行させる保留移行手段とを備えた通信装置であって、前記保留移行手段によって当該装置が保留状態に移行されたときに第１の保留音信号を発生して前記通信回線に送出可能であるとともに、遠隔の通信装置との間でデータ通信を実行可能な通信用モデムと、前記保留移行手段によって当該装置が保留状態に移行されたときに第２の保留音信号を発生可能な音信号発生手段と、当該音信号発生手段が発生した第２の保留音信号に基づいて保留音を出力可能な音声出力手段とを備えたことを特徴とする。
【０００９】
また請求項２の発明は、請求項１の発明において、前記音信号発生手段は、前記音声出力手段と常時接続されていることを特徴とする。
【００１０】
また請求項３の発明は、請求項１又は請求項２の発明において、前記音信号発生手段は、それぞれ単音を発生する回路を複数備えてなることを特徴とする。
【００１１】
また請求項４の発明は、請求項１〜請求項３の何れかの発明において、遠隔の通信装置からの着呼時に、前記音信号発生手段は前記音声出力手段から出力される着呼音用の信号を発生することを特徴とする。
【００１２】
また請求項５の発明は、請求項１〜請求項４の何れかの発明において、遠隔の通信装置からの着呼時に自動的に通信回線を閉結してデータ通信又は通話の何れか一方を可能とする自動着信モードを備え、通信回線の閉結後、前記通信用モデムは疑似リングバック音用の信号を通信回線に送出するとともに、前記音信号発声手段は疑似リング音用の信号を前記音声出力手段に送出することを特徴とする。
【００１３】
また請求項６の発明は、請求項１〜請求項５の何れかの発明において、第１の保留音データ、第２の保留音データ、着呼音データ、疑似リングバック音データ、そして疑似リング音データのうち少なくとも一つの音データを記憶可能であり、その記憶している音データに対して複数の候補を記憶する記憶手段と、この記憶手段に記憶されている複数の候補から一つの候補を選択して設定する選択設定手段とを備え、前記通信用モデム及び前記音信号発生手段は、前記選択設定手段により選択設定された音データに基づいて音信号を出力することを特徴とする。
【発明の効果】
【００１４】
請求項１に記載の発明によれば、保留移行手段によってこの通信装置が保留状態に移行されたとき、通信用モデムは第１の保留音信号を発生して通信回線に送出し、音声出力手段は音信号発生手段が発生した第２の保留音信号に基づいて保留音を出力するので、通話の保留時に電話回線を介して遠隔の通信装置に送出する保留音と、自らの通信装置で聴きたい保留音とを異ならせることができ、使用者の多様な要望に応えることができる。
【００１５】
また、請求項２に記載の発明によれば、音信号発生手段は音声出力手段と常時接続されているので、音声出力手段から出力される音声の制御が容易となる。
【００１６】
また、請求項３に記載の発明によれば、音信号発生手段はそれぞれ単音を発生する回路を複数備えてなるので、音声出力手段は多重和音の音声を出力することができ、出力音声に対する使用者の多様な要望に応えることができる。
【００１７】
また、請求項４に記載の発明によれば、遠隔の通信装置からの着呼時に、音信号発生手段は着呼音用の信号を発生することができるので、簡易な構成にも拘わらず、保留音も着呼音も出力できる。
【００１８】
また、請求項５に記載の発明によれば、保留音のみならず、疑似リングバックトーンと疑似リング音も異なる音声で出力することができるので、使用者の多様な要望に応えることができる。
【００１９】
また、請求項６に記載の発明によれば、選択設定手段により、第１の保留音データ、第２の保留音データ、着呼音データ、疑似リングバック音データ、そして疑似リング音データのうち少なくとも一つの音データについて記憶手段に記憶されている複数の候補から一つの候補を選択して設定することができるので、容易に各音を設定することができる。
【発明を実施するための最良の形態】
【００２０】
以下、本発明を具体化した一実施形態を、図１〜図８を参照して説明する。
【００２１】
図１は本実施形態に適用された複合機（本発明の通信装置に相当する）の斜視図であり、図２は本実施形態の複合機の内部構成を示すブロック図である。図３及び図４は本実施形態の複合機に着信モードや着呼音等の設定をする際の動作を示すフローチャートである。図５は、着呼音鳴動に際しての複合機の動作を示すフローチャートである。図６は、複合機にＦ／Ｔモードが設定されているときの自動着信動作を示すフローチャートである。図７は、複合機の通話処理を示すフローチャートである。そして図８は、複合機にＴＡＤモードが設定されているときの自動着信動作を示すフローチャートである。
【００２２】
この複合機１０は通話機能、ファクシミリ機能、コピー機能を有し、更に、パーソナルコンピュータ等との接続によるスキャナ機能やプリンタ機能をも備えている。そのため、この複合機１０は、記録紙搬送部８０と画像記録部９０（図２参照）とから構成されるプリンタを内部に収容する装置筐体２１の上部側にフラットベット式のスキャナ装置（以下、画像読取部と称す）１３０を配してなる。画像読取部１３０の手前側には操作用の各種キーや表示部（以下、ＬＣＤと称す：Liquid Crystal Display）１４１を備える操作パネル１４０が配されている。各種キーとしては、数字やアルファベットを入力可能なテンキー１４２、各種機能を選択するための機能キー１４３、ＬＣＤ１４１にメニューを表示させたり、各種設定を確定するためのメニュー／設定キー１４４、ＬＣＤ１４１の表示を順次変更するための十字キー１４５、複合機１０の各動作を途中で停止するための停止キー１４６、更にはこの複合機１０に電源を投入するための電源キー１４７等が設けられている。利用者が操作パネル１４０上の所定のキーを操作することにより、電話番号の入力やこの複合機１０の各種モード設定等が行われる。各種モード設定としては、自動着信モードたるファクシミリ／電話自動切替（Ｆ／Ｔ）モードや留守番電話（ＴＡＤ）モード、更には手動着信モードたる電話（ＴＥＬ）モード等があるが、これらの各モードについては後述する。画像読取部１３０は開閉可能な原稿カバー１３８を備えており、利用者はこの原稿カバー１３８を開いた状態で図示しない原稿台ガラス上に原稿を載置し、操作パネル１４０の所定のキーを操作することでファクシミリ通信やコピー等を実行することができる。また、画像読取部１３０は装置筐体２１の上面の一側縁に設けられる図示しないヒンジを介して装置筐体２１に接続されている。従って、画像読取部１３０は、ヒンジを中心として装置筐体２１から上方に開閉可能（いわゆるクラムシェル型）に構成されている。
【００２３】
装置筐体２１の一側壁には送受話器本体（以下、親機と称す）Ｄを載置可能なホルダ部１２０が備えられており、この親機Ｄを介して通話が可能となっている。
【００２４】
また、図１に示すように装置筐体２１の後部側の側縁部には通信ユニット８１が装着されている。通信ユニット８１は合成樹脂製のケーシング８２を備え、内部に通信基板（以下、無線通信回路と称す）８３（図２参照）が収容されている。この無線通信回路８３は他の送受信器（以下、子機と称す）Ｅ（図２参照）との間を無線接続するためのものであって、送受信用のアンテナ８３Ａを備えている。このように、複合機１０には、直接装置筐体２１に接続される親機Ｄと、コードレスの子機Ｅとが設けられており、用途に応じてこれら両送受話器（親機Ｄ、子機Ｅ）を選択的に使用でき、更には、これら両送受話器間での通話も可能に構成されている。
【００２５】
次に、図２を参照して、複合機１０の電気的構成を簡単に説明する。
【００２６】
本実施形態の複合機１０の装置筐体２１には、親機Ｄが接続されるコネクタ１６０と、電話回線１８５が接続されるコネクタ１７０とが設けられている。電話回線１８５は遠隔の交換機１８０とこの複合機１０とを接続する回線であり、また、遠隔の交換機１８０は電話回線１９５を介して遠隔の通信装置１９０とも接続されている。更に装置筐体２１の一側壁には、上述した通り、親機Ｄを保持可能なホルダ部１２０が固定して設けられており、このホルダ部１２０内にはＯＮ／ＯＦＦフックセンサ１５０が設けられている。ＯＮ／ＯＦＦフックセンサ１５０は、ホルダ部１２０に親機Ｄが載置された状態か否かによって移動するアクチュエータを備えており、ＡＳＩＣ４０がこのアクチュエータの移動の有無を検出することによりホルダ部１２０に親機Ｄが載置されたか否かが検出されるのである。
【００２７】
また、装置筐体２内には、制御回路３０と、通信用モデム５０と、リレー６０と、ライントランス７０と、記録紙搬送部８０と、画像記録部９０と、画像読取部１３０と、増幅器１００と、スピーカ１１０とが備えられている。但し、画像読取部１３０だけは、上述した通り、装置筐体２１の上方に開閉可能に載置されている。
【００２８】
制御回路３０は、ＣＰＵ３１、ＲＯＭ３２、ＲＡＭ３３、ＥＥＰＲＯＭ３４を中心とするマイクロコンピュータとして構成され、図示しないバスを介してＡＳＩＣ（Application Specific Integrated Circuit）４０に接続されている。また制御回路３０には、上述した無線通信回路８３が接続されている。
【００２９】
ＣＰＵ３１は、電話回線１８５を介して送受信される各種信号に従って各部を制御し、ファクシミリ動作、即ち、データ通信や通話動作を実行するものである。また、この複合機１０全体の動作を実行するものである。また操作パネル１４０と協働して選択設定手段を構成している。
【００３０】
記憶手段たるＲＯＭ３２は、この複合機１０で実行される制御プログラムなどを格納した書換不能なメモリであり、図３〜図８のフローチャートに示すプログラムは、このＲＯＭ３２内に格納されている。更にＲＯＭ３２内には、後述する送出用保留音データ（第１の保留音データ）、確認用保留音データ（第２の保留音データ）、着呼音データ、疑似リングバック音データ、そして疑似リング音データが記憶されている。
【００３１】
ＲＡＭ３３は、ファクシミリ装置１の各動作の実行時に各種のデータを一時的に記憶するためのメモリである。
【００３２】
また、ＥＥＰＲＯＭ３４内の所定領域には、この複合機１０に現在自動着信モードが設定されているか否かを示す自動着信モードフラグが記憶される。この複合機１０に現在自動着信モードが設定されている場合には、ＥＥＰＲＯＭ３４内の所定領域に「１」が記憶され、自動着信モードが設定されていない場合には、ＥＥＰＲＯＭ３４内の所定領域に「０」が記憶されるのである。
【００３３】
ＡＳＩＣ４０内には、それぞれ単音を発生可能な４つのブザー回路４１〜４４（音信号発生手段）が設けられており、各ブザー回路４１〜４４が生成した単音信号は増幅器１００を介してスピーカ１１０から単音として出力される。これらの増幅器１００とスピーカ１１０とが、音声出力手段を構成している。本実施形態の複合機１０は４つのブザー回路４１〜４４を備えているので、スピーカ１１０から４重和音を出力することができる。更に、ＡＳＩＣ４０には、ＯＮ／ＯＦＦフックセンサ１５０からの信号が入力される。また、ＡＳＩＣ４０には、記録紙搬送部８０と、画像記録部９０と、画像読取部１３０とが接続されており、各部位の動作は制御回路３０及びＡＳＩＣ４０によって制御される。
【００３４】
次に、利用者が操作パネル１４０上の所定のキーを操作することにより、後述する送出用保留音（第１の保留音）、確認用保留音（第２の保留音）、着呼音（着呼メロディ）、疑似リングバック音、疑似リング音が選択されて設定される手順について簡単に説明する。これらの送出用保留音（第１の保留音）、確認用保留音（第２の保留音）、着呼音（着呼メロディ）、疑似リングバック音、疑似リング音は、各々複数のパターン音やメロディ等から構成されており、後述するＲＯＭ３２内に予め記憶されている。ここで、送出用保留音（第１の保留音）とは、遠隔の通信装置１９０との通話中に複合機１０側の利用者が通話を保留状態に移行させたとき、遠隔の通信装置１９０側で聞こえる保留音であり、通信用モデム５０が電話回線１８５に送出するものである。また確認用保留音（第２の保留音）とは、遠隔の通信装置１９０との通話中に複合機１０側の利用者が通話を保留状態に移行させたとき、ＡＳＩＣ４０内の４つのブザー回路４１〜４４が第２保留音用の信号を発生して増幅器１００へと送出することにより、複合機１０内のスピーカ１１０から出力される保留音である。また着呼音（着呼メロディ）とは、遠隔の通信装置１９０から着呼があったときにＡＳＩＣ４０内の４つのブザー回路４１〜４４が着呼音（着呼メロディ）用の信号を発生して増幅器１００へと送出することにより、複合機１０内のスピーカ１１０から出力される音（メロディ）である。更に疑似リングバック音とは、後述するＦ／Ｔモード時に電話回線が閉結された後、通信用モデム５０から電話回線１８５へと送出される音であり、発呼者が遠隔の通信装置１９０を介して通信状況を確認する限りでは、あたかも電話回線１８５が未だ閉結されることなく、そのまま被呼者側の通信装置（複合機１０）が被呼者に着呼を報知するために呼出音を鳴動し続けている状態であるかのように聞こえるのである。そして疑似リング音とは、後述するＦ／Ｔモード時に電話回線が閉結された後、ＡＳＩＣ４０内の４つのブザー回路４１〜４４から増幅器１００へと送出されてスピーカ１１０から出力される音であり、あたかも電話回線１８５が未だ閉結されることなく、被呼者側の通信装置（複合機１０）が発呼者から着呼を受け続けている状態であるかのように聞こえる音である。
【００３５】
次に、図３〜図４のフローチャートを参照して、この複合機１０における着信時のモード設定と各音の選択及び設定の動作を説明する。このフローチャートは、複合機１０に電源が投入されたときに開始される。
【００３６】
まず、操作パネル１４０から何らかのキー入力がなされたか否かが判断される（Ｓ１）。操作パネル１４０から何らのキー入力もないと判断されると（Ｓ１：Ｎｏ）、いわゆる待機状態としてＳ１が繰り返し実行される。操作パネル１４０から何らかのキー入力がなされたと判断されると（Ｓ１：Ｙｅｓ）、そのキー入力が複合機１０に対して着信モードを設定すべきキー入力であるか否かが判断される（Ｓ３）。例えば、メニュー／設定キー１４４が押下された後、ＬＣＤ１４１に「着信モード設定？」と表示されるまで十字キー１４５が複数回押下され、更にＬＣＤ１４１に「着信モード設定？」と表示されている状態でメニュー／設定キー１４４が再度押下されると、複合機１０に対して着信モードを設定すべきキー入力であると判断される（Ｓ３：Ｙｅｓ）。すると、ＬＣＤ１４１には「Ｆ／Ｔモード？」と表示され、着信モードがＦ／Ｔモードに設定されたか否かが判断される（Ｓ５）。ＬＣＤに「Ｆ／Ｔモード？」と表示された状態でメニュー／設定キー１４４が押下されると（Ｓ５：Ｙｅｓ）、複合機１０の着信モードは「Ｆ／Ｔモード」に設定され（Ｓ７）、ＥＥＰＲＯＭ３４内の自動着信モードフラグがＯＮに設定される（Ｓ９）。即ち、ＥＥＰＲＯＭ３４内の自動着信モードフラグ記憶領域に「１」が記憶される。そして、再びＳ１へと戻る。
【００３７】
一方、ＬＣＤ１４１に「Ｆ／Ｔモード？」と表示された状態で十字キー１４５が押下されると（Ｓ５：Ｎｏ）、ＬＣＤ１４１には「ＴＡＤモード？」と表示され、着信モードがＴＡＤモードに設定されたか否かが判断される（Ｓ１１）。ＬＣＤ１４１に「ＴＡＤモード？」と表示された状態でメニュー／設定キー１４４が押下されると（Ｓ１１：Ｙｅｓ）、複合機１０の着信モードは「ＴＡＤモード」に設定され（Ｓ１３）、ＥＥＰＲＯＭ３４内の自動着信モードフラグがＯＮに設定される（Ｓ９）。そして、再びＳ１へと戻る。
【００３８】
一方、ＬＣＤ１４１に「ＴＡＤモード？」と表示された状態で再び十字キー１４５が押下されると（Ｓ１１：Ｎｏ）、ＬＣＤ１４１には「ＴＥＬモード？」と表示され、着信モードがＴＥＬモードに設定されたか否かが判断される（Ｓ１５）。ＬＣＤ１４１に「ＴＥＬモード？」と表示された状態でメニュー／設定キー１４４が押下されると（Ｓ１５：Ｙｅｓ）、複合機１０の着信モードは「ＴＥＬモード」に設定され（Ｓ１７）、ＥＥＰＲＯＭ３４内の自動着信モードフラグがＯＦＦに設定される（Ｓ９）。即ち、ＥＥＰＲＯＭ３４内の自動着信モードフラグ記憶領域に「０」が記憶される。そして、再びＳ１へと戻る。
【００３９】
一方、ＬＣＤ１４１に「ＴＥＬモード？」と表示された状態で再び十字キー１４５が押下されると（Ｓ１５：Ｎｏ）、ＬＣＤ１４１には再び「Ｆ／Ｔモード？」と表示され、Ｓ５へと戻る。
【００４０】
本実施形態の受信モードは、「Ｆ／Ｔモード」、「ＴＡＤモード」、「ＴＥＬモード」の３つのモードから構成されているが、これらのモード以外のモードを備えてもよいし、３つのモードを全て備える必要もないことは言うまでもない。
【００４１】
他方、操作パネル１４０から何らかのキー入力がなされたと判断され（Ｓ１：Ｙｅｓ）、そのキー入力が着信モードを設定すべき所定のキー入力ではないと判断されると（Ｓ３：Ｎｏ）、そのキー入力が各種の音を設定すべき所定のキー入力であったか否かが判断される（Ｓ２１）。例えば、メニュー／設定キー１４４が押下された後、ＬＣＤ１４１に「各種の音設定？」と表示されるまで十字キー１４５が複数回押下され、更にＬＣＤ１４１に「各種の音設定？」と表示されている状態でメニュー／設定キー１４４が押下されると、各種の音を設定すべき所定のキー入力であると判断される（Ｓ２１：Ｙｅｓ）。そして、「設定すべき音を選択」する処理が実行される（Ｓ２３）。この処理では、十字キー１４５の押下に応じて、ＬＣＤ１４１に「着呼音？」→第１の保留音としての「送出用保留音？」→第２の保留音としての「確認用保留音？」→「疑似リング音？」→「疑似リングバック音？」が順々にトグル表示される。そして、利用者がＬＣＤ１４１に選択したい音を表示させた状態で、メニュー／設定キー１４４を押下すると、「複数のデータから所望のデータを選択／設定」する処理が実行される（Ｓ２５）。例えば、ＬＣＤ１４１に「着呼音？」が表示されているときに、利用者がメニュー／設定キー１４４を押下すると、利用者が設定すべき音として「着呼音」を選択したこととなるので、次にその選択された「着呼音」に対して複数ある候補のデータの中からどのデータを選択して設定するかがＳ２５で実行されるのである。Ｓ２５の処理では、十字キー１４５の押下に応じて、ＬＣＤ１４１に「ベルパターン１」→「ベルパターン２」→「ベルパターン３」→「曲Ａ」→「曲Ｂ」→「曲Ｃ」が順々にトグル表示される。ベルパターン１〜３はそれぞれ異なるベルの鳴動音パターンであり、曲Ａ〜Ｃはそれぞれ異なる曲（メロディ）である。そして、利用者がＬＣＤ１４１に選択したいベルパターン又は曲を表示させた状態で、メニュー／設定キー１４４を押下すると、その時点でＬＣＤ１４１に表示されているベルパターン又は曲が「着呼音」として設定されるのである。そしてＬＣＤ１４１には「別の音を設定？」と表示されるので（Ｓ２７）、利用者がメニュー／設定キー１４４を押下すると（Ｓ２７：Ｙｅｓ）、「設定すべき音を選択」する処理から再び実行される（Ｓ２３）。一方、利用者が停止キー１４６を押下すると（Ｓ２７：Ｎｏ）、Ｓ１へと戻る。
【００４２】
なお、上記の説明では、「着呼音」として用いられる複数のデータについてのみ説明をしたが、その他の「送出用保留音」、「確認用保留音」、「疑似リング音」、「疑似リングバック音」についてもそれぞれ設定可能な複数のデータを記憶していることは言うまでもない。
【００４３】
また、操作パネル１４０から何らかのキー入力がなされたと判断され（Ｓ１：Ｙｅｓ）、そのキー入力が着信モードを設定すべき所定のキー入力ではないと判断され（Ｓ３：Ｎｏ）、且つそのキー入力が各種の音を設定すべき所定のキー入力でもないと判断されると（Ｓ２１：Ｎｏ）、操作パネル１４０からのキー入力に対応したその他の処理（Ｓ２９）が実行され、Ｓ１へと戻る。
【００４４】
このように利用者が操作パネル１４０の所定のキーを押下することにより、複合機１０はこれらの音やメロディの選択設定モードに移行する。そして、更に利用者が操作パネル１４０上の各種キーを操作することにより各々の音やメロディを選択して設定することができるのである。これらの選択方法や設定方法には様々な方法があるが、各音やメロディに対して一つの音やメロディを選択して設定できる方法であれば上述した方法以外の何れの方法でも構わない。従って、本実施形態では、遠隔の通信装置１９０との通話中に複合機１０が保留状態に移行されたとき、遠隔の通信装置１９０側で聞こえる送出用保留音と、複合機１０の装置筐体２１内に配設されているスピーカ１１０から出力される確認用保留音とを異なる音やメロディに設定することができる。更に、遠隔の通信装置１９０から着呼があったときにＡＳＩＣ４０内の４つのブザー回路４１〜４４から増幅器１００へと送出される着呼音信号（着呼メロディ用信号）や、後述するＦ／Ｔモード時に電話回線が閉結された後、通信用モデム５０から電話回線１８５へと送出される疑似リングバック音やＡＳＩＣ４０内の４つのブザー回路４１〜４４から増幅器１００へと送出される疑似リング音としての着呼音信号（着呼メロディ用信号）をもそれぞれ任意に選択設定することができる。更に、予めＲＯＭ３２内に記憶されている音やメロディだけでなく、遠隔の通信サーバ等に記憶されているこれらの音やメロディのデータをダウンロードしてＥＥＰＲＯＭ３４内に記憶し、利用者が操作パネル１４０を操作することによりこれらのデータから利用者の好みの音やメロディを任意に選択設定するように構成してもよい。
【００４５】
次に本実施形態の複合機１０に対して遠隔の通信装置から着呼がなされた際の、この複合機１０の動作を図５〜図８に示すフローチャートを参照して詳細に説明する。
【００４６】
まず、遠隔の発呼者から、即ち、何れかの遠隔の通信装置１９０から着呼があるまで（Ｓ１００：Ｎｏ）、この複合機１０は待機状態が継続される。遠隔の通信装置１９０から着呼があると（Ｓ１００：Ｙｅｓ）、ＡＳＩＣ４０内のブザー回路４１〜４４が着呼音（着呼メロディ）のための信号を増幅器１００へと送出するので、複合機１０のスピーカ１１０は被呼者に対して着呼があることを報知する着呼音（着呼メロディ）を出力する（Ｓ２００）。次に、自動着信モードに設定されているか否か（自動着信モードフラグがＯＮかＯＦＦか、即ちＥＥＰＲＯＭ３４内の自動着信モードフラグ記憶領域に「１」が記憶されているか「０」が記憶されているか）が判断される（Ｓ３００）。この複合機１０が使用者により予め自動着信モードに設定されていると判断された場合には（Ｓ３００：Ｙｅｓ）、着呼回数がカウントされてＡＳＩＣ４０内の所定の記憶領域に記憶される（Ｓ４００）。この着呼回数は交換機１８０から出力される鳴動信号のＯＮ／ＯＦＦの状態を数えることで実行される。そしてカウント数が所定のカウント値ｎ以上になったか否かが判断される（Ｓ５００）。カウント数が所定のカウント値ｎ未満であると判断されると（Ｓ５００：Ｎｏ）、着呼回数のカウント及び記憶が継続される。カウント数が所定のカウント値ｎ以上になったと判断されると（Ｓ５００：Ｙｅｓ）、ＡＳＩＣ４０内の各ブザー回路４１〜４４は着呼音（着呼メロディ）のための信号を増幅器１００へ送出するのを停止する（Ｓ６００）ため、スピーカ１１０からの着呼音の出力も停止される。そして、後述する自動着信処理（Ｓ７００）が実行される。この自動着信処理（Ｓ７００）が終了すると、その処理内容に応じて、後述する通話処理（Ｓ１１００）が実行されるか、又はＳ１００へ戻って複合機１０は待機状態となる。
【００４７】
一方、この複合機１０が使用者により自動着信モードに設定されていないと判断された場合、即ち、単なる電話モードに代表される手動着信モードに設定されていると判断された場合には（Ｓ３００：Ｎｏ）、発呼者（遠隔の通信装置１９０）側からの発呼、即ち被呼者（複合機１０）側における着呼が停止されたか否かが判断される（Ｓ８００）。これは、交換機１８０から出力される鳴動信号が所定時間以上ＯＦＦ状態になったか否かで判断される。着呼が停止されたと判断されると（Ｓ８００：Ｙｅｓ）、ＡＳＩＣ４０内のブザー回路４１〜４４が着呼音（着呼メロディ）のための信号を増幅器１００へ送出するのを停止する（Ｓ１２００）ため、スピーカ１１０からの着呼音の出力も停止される。そして、Ｓ１００へ戻って複合機１０は待機状態となる。一方、着呼が停止されていないと判断されると（Ｓ８００：Ｎｏ）、親機ＤがＯＦＦフックされたか否かが判断される（Ｓ９００）。ここで、「親機ＤがＯＦＦフック」とは、実際に親機Ｄが被呼者にホルダ部１２０から持ち上げられてＯＦＦフック状態になることにより電話回線１８５が閉結される場合に限らず、子機Ｅの図示しない通話スイッチが被呼者により押下されて電話回線１８５が閉結された場合も含まれる。親機ＤがＯＦＦフックされたか否かについては、ホルダ部１２０内に備えられているＯＮ／ＯＦＦフックセンサ１５０が出力する信号に基づいて判断される。親機ＤがＯＦＦフックされていないと判断された場合（Ｓ９００：Ｎｏ）、即ち電話回線１８５が閉結されていない場合には、再びＳ８００が繰り返し実行される。一方、親機ＤがＯＦＦフックされたと判断された場合（Ｓ９００：Ｙｅｓ）、即ち電話回線１８５が閉結された場合には、ＡＳＩＣ４０内のブザー回路４１〜４４は着呼音（着呼メロディ）のための信号を増幅器１００へ送出するのを停止して（Ｓ１０００）、通話処理（Ｓ１１００）へと移行する。この通話処理（Ｓ１１００）が終了すると、Ｓ１００へ戻って複合機１０は待機状態となる。
【００４８】
次に、図６を参照して、自動着信処理（Ｓ７００）を説明する。ただし、この自動着信処理はＦ／Ｔモードに関するものである。Ｆ／Ｔモードとは、自動着信モードの一つであって、例えば遠隔の通信装置１９０から何らかの着呼があった場合、まず電話回線１８５が閉結されてファクシミリ受信は自動的に実行されるものの、通話に関しては所定時間内に被呼者が通話に応じないと自動的に回線が開放されるモードである。この自動着信処理（Ｓ７００）では、図６に示すように、まず電話回線１８５が閉結（着信）され（Ｓ７０１）、通信用モデム５０からは疑似リングバックトーンが電話回線１８５に送出される。従って、電話回線１８５は既に閉結されているものの、発呼者が遠隔の通信装置１９０を介して通信状況を確認する限りでは、そのまま被呼者側の通信装置（複合機１０）が被呼者に着呼を報知するために呼出音を鳴動し続けている状態であるかのように聞こえる。しかし、遠隔の通信装置１９０自体は、複合機１０が電話回線１８５を閉結したことを認識できるので、ファクシミリ送信の場合にはＣＮＧ信号を電話回線１９５へと送出する。一方、ＡＳＩＣ４０内のブザー回路４１〜４４からは疑似リング（着呼メロディ）のための信号が増幅器１００に送出されるので、スピーカ１１０からは疑似リング音が出力されるため、被呼者は遠隔の通信装置１９０から発呼されている（複合機１０に着呼がある）ことを認識することができる（Ｓ７０２）。次に、Ｆ／Ｔタイムアウトか否かが判断される（Ｓ７０３）。上述した通り、電話回線１８５は既にＳ７０１で閉結されているので、発呼側の遠隔の通信装置１９０がファクシミリ送信を目的としているのであれば所定時間内にＣＮＧ信号を送出するが、通話を目的としている場合にはＣＮＧ信号を送出しない。そこで、まず、電話回線１８５が弊結されてから所定時間が経過したか否か、即ちＦ／Ｔタイムアウトか否かが判断されるのである。Ｆ／Ｔタイムアウトでないと判断されると（Ｓ７０３：Ｎｏ）、次に親機ＤがＯＦＦフックされたか否かが判断される（Ｓ７０４）。この場合の「親機ＤがＯＦＦフック」は上述のＳ９００とほぼ同様の趣旨である。しかし、この時点ではＳ７０１で既に電話回線１８５は閉結されているので、親機Ｄが被呼者にホルダ部１２０から持ち上げられることにより実際にＯＦＦフック状態となって通話が可能になった場合、子機Ｅの図示しない通話スイッチが被呼者に押下されて実際に通話が可能になった場合を示している。「親機ＤがＯＦＦフック」されていないと判断されたら（Ｓ７０４：Ｎｏ）、ＣＮＧ信号が検出されたか否かが判断される（Ｓ７０５）。上述した通り、発呼側の遠隔の通信装置１９０がファクシミリ送信を目的としているのであれば所定時間内にＣＮＧ信号を送出してくるからである。ＣＮＧ信号が検出されていないと判断されたら（Ｓ７０５：Ｎｏ）、Ｓ７０３へと戻り、Ｓ７０３〜Ｓ７０５が繰り返し実行される。
【００４９】
一方、Ｆ／Ｔタイムアウトであると判断されると（Ｓ７０３：Ｙｅｓ）、即ち、電話回線１８５が弊結されてから所定時間が経過したにもかかわらず、「親機ＤがＯＦＦフック」されることなく、更にはＣＮＧ信号も検出されなかった通信用モデム５０から電話回線１８５に送出していた疑似リングバックトーンが停止され（Ｓ７０６）、更にＡＳＩＣ４０のブザー回路４１〜４４から増幅器１００に送出され、スピーカ１１０から出力されていた疑似リング（着呼メロディ）も停止される（Ｓ７０７）。そして電話回線１８５が開放され（Ｓ７０８）、Ｓ１００に戻って複合機１０は待機状態となる。所定時間内にＣＮＧ信号が検出されない場合に電話回線が開放されるのは、自動着信処理（Ｓ７００）に移行したときに電話回線１８５が閉結される（Ｓ７０１）ため、発呼者（遠隔の通信装置１９０）に課金される通話料金を無駄に増加させないためである。
【００５０】
一方、「親機ＤがＯＦＦフック」されたと判断されたら（Ｓ７０４：Ｙｅｓ）、通信用モデム５０から電話回線１８５に送出していた疑似リングバックトーンが停止され（Ｓ７０９）、更にＡＳＩＣ４０のブザー回路４１〜４４から増幅器１００に送出されていた疑似リング（着呼メロディ）も停止される（Ｓ７１０）。そして後述する通話処理（Ｓ１１００）が実行される。
【００５１】
また、ＣＮＧ信号が検出されたと判断されたら（Ｓ７０５：Ｙｅｓ）、通信用モデム５０から電話回線１８５に送出していた疑似リングバックトーンが停止され（Ｓ７１１）、ＡＳＩＣ４０のブザー回路４１〜４４から増幅器１００に送出されていた疑似リング（着呼メロディ）も停止される（Ｓ７１２）。そしてＦＡＸ受信処理が実行される（Ｓ７１３）。このＦＡＸ受信処理は一般によく知られている処理なので、ここでは詳述しない。そしてＦＡＸ受信処理（Ｓ７１３）が終了したら、電話回線１８５が開放され（Ｓ７１４）、Ｓ１００へ戻って複合機１０は待機状態となる。
【００５２】
次に、図７を参照して、通話処理（Ｓ１１００）を詳細に説明する。
【００５３】
この通話処理（Ｓ１１００）では、まず親機Ｄが「ＯＮフック」されたか否かが判断される（Ｓ１１０１）。ここで、親機Ｄが「ＯＮフック」とは、親機Ｄが被呼者によりホルダ部１２０に実際に置かれた場合に限らず、子機Ｅの図示しない通話スイッチが被呼者に再度押下されることによって、被呼者が通話を終了させようとする場合である。「親機ＤがＯＮフック」されたと判断された場合には（Ｓ１１０１：Ｙｅｓ）、それまで通話に使用されていた親機Ｄ、又は子機ＥをＯＦＦにしてから、即ち通話機能をＯＦＦにしてから（Ｓ１１１０）、電話回線１８５を開放する（Ｓ１１１１）。そして、Ｓ１００へ戻って複合機１０は待機状態となる。
【００５４】
一方、親機Ｄが「ＯＮフック」されていないと判断されれば（Ｓ１１０１：Ｎｏ）、即ち、被呼者が通話を終了させようとしていない場合には、被呼者が操作パネル１４０上の図示しない保留キーを押下したか否かが判断される（Ｓ１１０２）。この保留キーは複合機１０の操作パネル１４０上にも設けられているが、子機Ｅにも設けられている。被呼者により保留キーが押下されていないと判断されれば（Ｓ１１０２：Ｎｏ）、Ｓ１１０１が繰り返し実行される。即ち、この間は発呼者と被呼者との間で通話状態が継続される。被呼者により保留キーが押下されると（Ｓ１１０２：Ｙｅｓ）、親機Ｄのマイクロホン、又は子機ＥのマイクロホンがＯＦＦ状態とされる（Ｓ１１０３）。従って、被呼側の音声等が発呼側（遠隔の通信装置１９０）に伝達されなくなる。そして、この間通信用モデム５０から電話回線１８５に保留音（保留メロディ）が送出されるとともに、ＡＳＩＣ４０のブザー回路４１〜４４からは保留音（保留メロディ）のための信号が増幅器１００に送出される（Ｓ１１０４）。そして、再度被呼者が操作パネル１４０上の保留キーを押下したか否かが判断される（Ｓ１１０５）。保留キーが未だ再び押下されていないと判断されると（Ｓ１１０５：Ｎｏ）、親機Ｄがホルダ部１２０に載置されたか否かがＯＮ／ＯＦＦフックセンサ１５０の出力に基づいて判断される（Ｓ１１０８）。この場合は、実際に親機Ｄがホルダ部１２０に載置されたか否かのみが判断される。即ち、保留状態で親機Ｄをホルダ部１２０に載置したとしても電話回線１８５が開放されるわけではなく、保留状態は継続されるのである。そして、実際に親機Ｄがホルダ部１２０に載置されていないと判断されれば（Ｓ１１０８：Ｎｏ）、Ｓ１１０５へと戻る。一方、実際に親機Ｄがホルダ部１２０に載置されたと判断されると（Ｓ１１０８：Ｙｅｓ）、次に親機Ｄがホルダ部１２０から実際に持ち上げられたか否かが判断される（Ｓ１１０９）。親機Ｄがホルダ部１２０から持ち上げられたと判断されると（Ｓ１１０９：Ｙｅｓ）、Ｓ１１０５で操作パネル１４０上の保留キーが再度押下された場合と同様に、保留状態が停止される。この場合、通信用モデム５０及びＡＳＩＣ４０がそれぞれ保留音を電話回線１８５又は増幅器１００へ送出するのを停止する（Ｓ１１０６）。そして、先ほどＯＦＦ状態とされた親機Ｄのマイクロホン、又は子機のマイクロホンがＯＮ状態にされて（Ｓ１１０６）、Ｓ１１０１の処理から繰り返し実行される。
【００５５】
以上は、自動着信モードがＦ／Ｔモードの場合であるが、自動着信モードがＴＡＤ（Telephone Answering Device：留守番電話）モードの場合には、別の動作が行われる。
【００５６】
次に、図８を参照して、複合機１０がＴＡＤモードに設定されている場合における自動着信処理を説明する。ここで、ＴＡＤモードとは、自動着信モードの一つであって、例えば遠隔の通信装置１９０から複合機１０に対して何らかの発呼があった場合、複合機１０はまず電話回線１８５を閉結し、所定時間内にＣＮＧ信号を検出したらファクシミリ受信を自動的に行うのである。そして、複合機１０が所定時間内にＣＮＧ信号を検出しなかったら、複合機１０内に予め記憶されている「留守である旨のメッセージ」を発呼側の遠隔の通信装置１９０に送出した後、遠隔の通信装置１９０から送出されてくる「発呼者のメッセージ」を記憶して、電話回線１８５を開放するモードである。
【００５７】
図５のフローチャートにおいてＳ６００の処理が終了されると、ＴＡＤモードにおける自動着信処理が実行され、まず電話回線１８５が閉結される（Ｓ７２１）。発呼側の遠隔の通信装置１９０がファクシミリ送信を目的としているのであれば所定時間内にＣＮＧ信号を送出するので、複合機１０は所定時間、例えば４秒間だけ無音状態で待機する（Ｓ７２２）。４秒が経過していないと判断されれば（Ｓ７２２：Ｎｏ）、発呼側の遠隔の通信装置１９０から送出されたＣＮＧ信号を検出したか否かが判断される（Ｓ７２３）。そしてＣＮＧ信号が検出されていないと判断されたら（Ｓ７２３：Ｎｏ）、Ｓ７２２の判断が繰り返し実行される。しかし、発呼側の遠隔の通信装置１９０から送出されたＣＮＧ信号が検出されたと判断されたら（Ｓ７２３：Ｙｅｓ）、Ｓ７１３と同様に通常のファクシミリ受信処理（Ｓ７２４）が実行された後、電話回線１８５が開放される（Ｓ７３２）。そして、Ｓ１００に戻って複合機１０は待機状態となる。
【００５８】
一方、ＣＮＧ信号を検出することなく４秒が経過したと判断されたら（Ｓ７２２：Ｙｅｓ）、例えば「ただいま留守にしております。御用の方はピーッという発信音の後にメッセージをお話し下さい。」等のメッセージ（ＯＧＭ：Out Going Message）を通信用モデム５０から電話回線１８５に向けて送出し始める（Ｓ７２５）。そして送出し終わるまでＯＧＭの送出が継続され（Ｓ７２６：Ｎｏ）、所定のＯＧＭを送出し終わったら（Ｓ７２６：Ｙｅｓ）、ＯＧＭの送出が停止される（Ｓ７２７）。次に発呼者の話すメッセージ（ＩＣＭ：In Coming Message）が通信用モデム５０を介してＲＡＭ３３の所定の領域に録音され始める（Ｓ７２８）。そしてＩＣＭ録音を開始してから所定時間（例えば、１５秒）が経過したか否かが判断される（Ｓ７２９）。所定時間が経過していないと判断されれば（Ｓ７２９：Ｎｏ）、次に発呼側の遠隔の通信装置１９０が電話回線１９５を開放したか否かが判断される（Ｓ７３０）。発呼側の遠隔の通信装置１９０が電話回線１９５を開放していないと判断されれば（Ｓ７３０：Ｎｏ）、Ｓ７２９の判断が繰り返し実行される。そして所定時間が経過したと判断されたか（Ｓ７２９：Ｙｅｓ）、又は発呼側の遠隔の通信装置１９０が電話回線１９５を開放したと判断されたら（Ｓ７３０：Ｙｅｓ）、ＩＣＭ録音が停止され（Ｓ７３１）、電話回線１８５が開放される（Ｓ７３２）。そして、Ｓ１００に戻って複合機１０は待機状態となる。
【００５９】
以上詳述した通り、本発明の通信装置によれば、保留移行手段によってこの通信装置が保留状態に移行されたとき、通信用モデムは第１の保留音信号を発生して通信回線に送出し、音声出力手段は音信号発生手段が発生した第２の保留音信号に基づいて保留音を出力するので、通話の保留時に電話回線を介して遠隔の通信装置に送出する保留音と、自らの通信装置で聴きたい保留音とを異ならせることができ、使用者の多様な要望に応えることができる。
【００６０】
また、音信号発生手段は音声出力手段と常時接続されているので、音声出力手段から出力される音声の制御が容易となる。
【００６１】
また、音信号発生手段はそれぞれ単音を発生する回路を複数備えてなるので、音声出力手段は多重和音の音声を出力することができ、出力音声に対する使用者の多様な要望に応えることができる。
【００６２】
また、遠隔の通信装置からの着呼時に、音信号発生手段は着呼音用の信号を発生することができるので、簡易な構成にも拘わらず、保留音も着呼音も出力できる。
【００６３】
また、保留音のみならず、疑似リングバックトーンと疑似リング音も異なる音声で出力することができるので、使用者の多様な要望に応えることができる。
【００６４】
また、選択設定手段により、第１の保留音データ、第２の保留音データ、着呼音データ、疑似リングバック音データ、そして疑似リング音データのうち少なくとも一つの音データについて記憶手段に記憶されている複数の候補から一つの候補を選択して設定することができるので、容易に各音を設定することができる。
【００６５】
なお、本発明は、上述した実施形態に限定されるものではなく、その趣旨を逸脱しない範囲において種々の変更を加えることができる。
【００６６】
例えば、上述の実施形態においては、遠隔の通信装置１９０との通話は親機Ｄ又は子機Ｅを介して行われているが、親機Ｄや子機Ｅの代わりに装置筐体２１内に設けられている図示しないマイクロホンとスピーカ１１０とを用いる、いわゆるスピーカホンにより通話を行うこととしてもよい。この場合、図６のＳ７０４における「ＯＦＦフックか？」の判断は、操作パネル１４０上の図示しないスピーカホンスイッチが被呼者に押下されたか否かで判断される。また、図７のＳ１１０１における「ＯＮフックか？」の判断は、操作パネル１４０上の図示しないスピーカホンスイッチが被呼者に再度押下されたか否かで判断される。
【図面の簡単な説明】
【００６７】
【図１】本実施形態の複合機の外観斜視図
【図２】本実施形態の複合機の内部構成を示すブロック図
【図３】複合機に着信モードや着呼音等の設定をする際の動作を示すフローチャートの部分図
【図４】複合機に着信モードや着呼音等の設定をする際の動作を示すフローチャートの部分図
【図５】着呼音鳴動に際しての複合機の動作を示すフローチャート
【図６】複合機にＦ／Ｔモードが設定されているときの自動着信動作を示すフローチャート
【図７】複合機の通話処理を示すフローチャート
【図８】複合機にＴＡＤモードが設定されているときの自動着信動作を示すフローチャート
【図９】従来のファクシミリ装置の概略構成を示すブロック図
【図１０】従来の別のファクシミリ装置の概略構成を示すブロック図
【符号の説明】
【００６８】
１０…複合機
２１…装置筐体
３０…制御回路
３１…ＣＰＵ
３２…ＲＯＭ
３３…ＲＡＭ
３４…ＥＥＰＲＯＭ
４０…ＡＳＩＣ
４１〜４４…ビープ音発生回路
５０…通信用モデム
６０…リレー
７０…ライントランス
８０…記録紙搬送部
８１…
８２…
８３…無線通信回路
８３Ａ…アンテナ
９０…画像記録部
１００…増幅器
１１０…スピーカ
１２０…ホルダ部
１３０…画像読取部
１３８…原稿カバー
１４０…操作パネル
１５０…ＯＮ／ＯＦＦフックセンサ
１８０…交換機
１８５…電話回線
１９０…遠隔の通信装置
１９５…電話回線
Ｄ…親機
Ｅ…子機
【図１】
2006013870.tif 000003
【図２】
2006013870.tif 000004
【図３】
2006013870.tif 000005
【図４】
2006013870.tif 000006
【図５】
2006013870.tif 000007
【図６】
2006013870.tif 000008
【図７】
2006013870.tif 000009
【図８】
2006013870.tif 000010
【図９】
2006013870.tif 000011
【図１０】
2006013870.tif 000012